(57)【要約】【課題】本発明はコンタクト若しくはコンタクト・絶縁体の両方の共有化ができ、狭ピッチ化にも対応でき、確実なロック手段と嵌合時のクリック感を有するコンタクト及びコンタクトを用いたコネクタを提供する。【解決手段】本目的は導電性材料からなる少なくとも１個の板状のコンタクト２０であって、コンタクト２０の先端部の少なくとも一方に、第１接続対象物と接触する接触部２４を含む千鳥状に分岐させた少なくとも２個の分割接触片２６と、第２接続対象物に接続する接続部２８を有するコンタクト２０において、分割接触片２６と接続部２８との間を延設するとともに延設部分３２に分割接触片２６と接触・係合する接触係合手段３０を設け、同一の前記コンタクト２０を接触・係合させることで、２つの前記第２接続対象物間を導通させることにより達成できる。【選択図】  図１
2010010031.tif 000002
【特許請求の範囲】
【請求項１】
導電性材料からなる少なくとも１個の板状のコンタクトであって、
コンタクトの先端部の少なくとも一方に、第１接続対象物と接触する接触部を含む千鳥状に分岐させた少なくとも２個の分割接触片と、第２接続対象物に接続する接続部を有するコンタクトにおいて、
前記分割接触片と前記接続部との間を延設するとともに該延設部分に前記分割接触片と接触・係合する接触係合手段を設け、
同一の前記コンタクトを接触・係合させることで、２つの前記第２接続対象物間を導通させることを特徴とするコンタクト。
【請求項２】
前記分割接触片は、先端部に３個設けられ、中央に位置する主分割接触片の幅が広く、両側に位置する副分割接触片の幅が狭く、２つの同一コンタクトのうち一方のコンタクトの分割接触片（主分割接触片・副分割接触片）と他方のコンタクトの接触係合手段とが接触係合することを特徴とする請求項１記載のコンタクト。
【請求項３】
前記接触係合手段として、前記延設部分を湾曲させ、前記分割接触片の接触部を接触係合させることを特徴とする請求項１または２記載のコンタクト。
【請求項４】
前記接触係合手段として、前記延設部分の表裏両面に凹部を設け、前記分割接触片の接触部を接触係合させることを特徴とする請求項１または２記載のコンタクト。
【請求項５】
前記延設部分の湾曲を、それぞれの前記分割接触片の形状に沿うように独立した湾曲部することを特徴とする請求項３記載のコンタクト。
【請求項６】
前記延設部分の湾曲部に、千鳥状に分岐したどちらか一方の前記分割接触片の接触部に対応する位置に孔若しくは溝を設けることを特徴とする請求項３記載のコンタクト。
【請求項７】
コンタクトは、主分割接触片と両副分割接触片とが、先端側位置で閉じる方向にばね力を付勢して形成する請求項２、３または４、５、６記載のコンタクト。
【請求項８】
請求項１から７のコンタクトを、絶縁体に保持・配列することを特徴とするコネクタ。
【請求項９】
前記絶縁体を略板状とし、前記絶縁体から前記コンタクトの分割接触片及び接触係合手段を突出させることを特徴とする請求項８記載のコネクタ。
【請求項１０】
芯数が偶数の場合、前記絶縁体の形状を長手ピッチ方向の中心線に対して、一方側を雄型形状とし、他方側を雌型形状とすることを特徴とする請求項８記載のコネクタ。
【請求項１１】
芯数が奇数の場合、長手ピッチ方向の中心の前記コンタクトのみを前記絶縁体から前記コンタクトの分割接触片及び接触係合手段を突出させ、中心以外の前記絶縁体の形状を長手ピッチ方向の中心線に対して、一方側を雄型形状とし、他方側を雌型形状とすることを特徴とする請求項８記載のコネクタ。
【発明の詳細な説明】
【技術分野】
【０００１】
本発明は、ＦＡ機器やＯＡ機器やサーバや大型コンピュータ等の電気機器や電子機器の基板間接続に使用されるコネクタに関するもので、特に、同一のコンタクトを用いたコネクタ（即ち、共通の１つのコンタクトを含んだコネクタで基板間を接続）や同一のコンタクト及び絶縁体を用いたコネクタ（即ち、共通の１つのコネクタで基板間を接続）構造に関するものである。
【背景技術】
【０００２】
従来、２つの基板間を接続する場合、異なるコネクタ（異なるコンタクト及び絶縁体）をそれぞれの基板に固定し、コネクタを嵌合させて接続させている。即ち、少なくとも２種類のコンタクト及び絶縁体を用意し、プラグとレセプタクルと言った２つのコネクタを用いている。
下記に、特許文献として、本出願人が既に提案した特許文献１（特開２００６−４９１３０）と特許文献２（特開２００８−４１４７６）と特許文献３（特開平４−１４４０７９）の３つの文献を示す。
【特許文献１】特開２００６−４９１３０の要約によると、プラグコンタクトの先端部およびレセプタクルコンタクトの先端部の少なくとも一方の形状の適正化を図ることにより、レセプタクルコンタクトに対するプラグコンタクトの接触安定性に優れた電気コネクタを提供することを目的とし、レセプタクルコンタクト11、および該レセプタクルコンタクト11を収容する第１貫通穴12をもつ第１ハウジング13を有するレセプタクルコネクタ10と、プラグコンタクト51、および該プラグコンタクト51を収容する第２貫通穴52をもつ第２ハウジング53を有するプラグコネクタ50とを具え、プラグコンタクト51の先端部54およびレセプタクルコンタクト11の先端部14の双方に、それぞれ千鳥状に分岐させた少なくとも３個の分割接点部55〜57および15〜17を設けることを特徴とする構造の電気コネクタが開示されている。  ちなみに、特開２００６−４９１３０の特許請求の範囲には、請求項１として、導電性材料からなる少なくとも１個の板状のレセプタクルコンタクト、および該レセプタクルコンタクトを収容する第１貫通穴をもつ絶縁材料からなる第１ハウジングを有するレセプタクルコネクタと、導電材料からなる少なくとも1個の板状のプラグコンタクト、および該プラグコンタクトを収容する第２貫通穴をもつ絶縁材料からなる第２ハウジングを有するプラグコネクタとを具え、プラグコンタクトの先端部およびレセプタクルコンタクトの先端部の少なくとも一方に、千鳥状に分岐させた少なくとも３個の分割接点部を設けることを特徴とする電気コネクタ、請求項２として、前記プラグコンタクトの先端部のみに、前記分割接点部を設けることを特徴とする請求項１記載の電気コネクタ、請求項３として、前記分割接点部は、先端部に３個設けられ、中央に位置する主分割接点部の幅が広く、両側に位置する副分割接点部の幅が狭く、プラグコンタクトとレセプタクルコンタクトの先端部が係合する請求項１または２記載の電気コネクタ、請求項４として、前記レセプタクルコンタクトの先端部にも、プラグコンタクトの分割接点部と同数の分割接点部を設け、プラグコンタクトの先端部がレセプタクルコンタクトの先端部に誘導されて噛み合い係合するように、プラグコネクタがレセプタクルコネクタに接続されることを特徴とする請求項１、２または３記載の電気コネクタ、請求項５として、レセプタクルコンタクトは、その側面視にて、主分割接点部と両副分割接点部とが、先端側位置で拡開するように形成する請求項３または４記載の電気コネクタ、請求項６として、プラグコンタクトは、主分割接点部と両副分割接点部とが、先端側位置で閉じる方向にばね力を付勢して形成する請求項３または４記載の電気コネクタ、請求項７として、レセプタクルコネクタの第１貫通穴は、レセプタクルコンタクトの少なくとも片面が、全長にわたって第１ハウジングと非接触状態になるように形成する請求項１〜６のいずれか１項記載の電気コネクタ、請求項８として、プラグコネクタは、複数個のプラグコンタクトとこれらプラグコンタクトを収容する同数の第２貫通穴を有し、該第２貫通穴は、プラグコンタクトの後端部のみを収容する短穴であり、プラグコンタクトの先端部は、他のプラグコンタクトと同じ開口空間内にある請求項１〜７のいずれか１項記載の電気コネクタ、請求項９として、プラグコンタクトの後端部は、少なくとも片面が第２ハウジングと非接触状態になるように形成する請求項８記載の電気コネクタ、請求項１０として、レセプタクルコネクタの第１貫通穴およびプラグコネクタの第２貫通穴は、それぞれのコンタクトの先端部の千鳥形状に対応して嵌入可能な断面形状を有する請求項1〜９のいずれか１項記載の電気コネクタ等が開示されている。
【特許文献２】特開２００８−４１４７６の要約によると、コネクタハウジングの形状を簡素化できるオスメス共用端子と、それを用いたコネクタを提供することを目的とし、オスメス共用端子１１は、オス端子部１２とメス端子部１３を、各々の中心軸線を平行にして、オス端子部１２がメス端子部１３の先端より先に突出するように軸線方向にずらして形成し、このオスメス共用端子１１を、先端面が平らなコネクタハウジング１８に、オス端子部１２のみが当該コネクタハウジング１８の先端面から突出し、メス端子部１３は当該コネクタハウジング１８内に位置するように組み込んでコネクタ１７を構成するものが開示されている。  ちなみに、特開２００８−４１４７６の特許請求の範囲には、請求項１として、オス端子部とメス端子部を、各々の中心軸線を平行にして一体に形成したオスメス共用端子において、前記オス端子部とメス端子部を、オス端子部がメス端子部の先端より先に突出するように軸線方向にずらして形成したことを特徴とするオスメス共用端子、請求項２として、請求項１記載のオスメス共用端子を、先端面が平らな又は先端面に若干の凹凸を有するコネクタハウジングに、オス端子部のみが当該コネクタハウジングの先端面から突出し、メス端子部は当該コネクタハウジング内に位置するように、組み込んだことを特徴とするコネクタが開示されている。
【特許文献３】特開平４−１４４０７９の特許請求の範囲には、（１）挿抜自在の雄ハウジングと雌ハウジングに、それぞれ複数の信号線及び電源線に接続するコンタクトが並列状態に収容されている雄コネクタと雌コネクタとからなる電気コネクタにおいて、前記雌雄両ハウジングがそれぞれ、前記コンタクトを個別的に離隔して収容する空所部を有するユニットハウジングと、該ユニットハウジングを嵌装保持するシェルハウジングとにより形成され、前記ユニットハウジングの空所部が、該空所部に収容される前記コンタクトの電線接続部及び電気接触部の位置する部分を開放したＵ溝状に形成されていることを特徴とする電気コネクタ、（２）前記ユニットハウジング及び前記コンタクトが、前記雌雄両コネクタに共用できる同一構造である請求項１記載の電気コネクタ、（３）前記ユニットハウジングが、信号用コンタクトを収容する第１のハウジングと電源用コンタクトを収容する第２のハウジングとに分割され、かつ前記信号用コンタクトが圧接タイプで、前記電源用コンタクトが圧着タイプであることを特徴とする請求項１又は２記載の電気コネクタ等が開示されている。
【発明の開示】
【発明が解決しようとする課題】
【０００３】
従来及び特許文献１のような構造では、２つの基板間を接続するためには、別々に異なるコネクタを準備する必要があり、即ち、別々の異なるコンタクト及び絶縁体を準備する必要があった。その為、それぞれのコンタクト及び絶縁体ごとに、別々の金型が必要になり、コストアップや管理コストのアップに繋がってしまっている。
また、特許文献２や特許文献３は、同一のコンタクト（共通のコンタクト）を使用することでコスト低減を図っている。特許文献２や特許文献３の構造（形状）ではコネクタの狭ピッチ化には不向きであり、ロック手段がなく、互いのコンタクト同士の接触圧により保持力が決まってしまうため、コジリや座屈があった際には接続不良に繋がってしまう。位置決め手段がないため、確実に嵌合しているかが、判り難い。さらに、特許文献２や特許文献３では、コンタクトのみを共通化しており、絶縁体は共通化していないため、部分的なコスト低減にしかならない。
【０００４】
本発明は、このような従来の問題点に鑑みてなされたもので、コンタクト若しくはコンタクト・絶縁体の両方の共有化ができ、狭ピッチ化にも対応でき、確実なロック手段と嵌合時のクリック感を有するコンタクト及び該コンタクトを用いたコネクタを提供せんとするものである。
【課題を解決するための手段】
【０００５】
本目的は、請求項１記載のように、導電性材料からなる少なくとも１個の板状のコンタクト２０であって、コンタクト２０の先端部の少なくとも一方に、第１接続対象物と接触する接触部２４を含む千鳥状に分岐させた少なくとも２個の分割接触片２６と、第２接続対象物に接続する接続部２８を有するコンタクト２０において、前記分割接触片２６と前記接続部２８との間を延設するとともに該延設部分３２に前記分割接触片２６と接触・係合する接触係合手段３０を設け、同一の前記コンタクト２０を接触・係合させることで、２つの前記第２接続対象物間を導通させることを特徴とするコンタクト２０により達成できる。
【０００６】
請求項２のコンタクト２０は、前記分割接触片２６は、先端部に３個設けられ、中央に位置する主分割接触片３４の幅が広く、両側に位置する副分割接触片３６の幅が狭く、２つの同一コンタクト２０、２０のうち一方のコンタクト２０の分割接触片２６（主分割接触片３４・副分割接触片３６）と他方のコンタクト２０の接触係合手段３０とが接触係合することを特徴とする請求項１記載のコンタクト２０にある。
また、請求項３のコンタクト２０は、前記接触係合手段３０として、前記延設部分３２を湾曲させ、前記分割接触片２６の接触部２４を接触係合させることを特徴とする請求項１または２記載のコンタクト２０にある。
さらに、請求項４のコンタクト２０は、前記接触係合手段３０として、前記延設部分３２の表裏両面に凹部４０を設け、前記分割接触片２６の接触部２４を接触係合させることを特徴とする請求項１または２記載のコンタクト２０にある。
【０００７】
請求項５のコンタクト２０は、前記延設部分３２の湾曲を、それぞれの前記分割接触片２６の形状に沿うように独立した湾曲部３８することを特徴とする請求項３記載のコンタクト２０にある。
また、請求項６のコンタクト２０は、前記延設部分３２の湾曲部３８に、千鳥状に分岐したどちらか一方の前記分割接触片２６の接触部２４に対応する位置に孔４２若しくは溝４４を設けることを特徴とする請求項３記載のコンタクト２０にある。
さらに、請求項７のコンタクト２０は、主分割接触片３４と両副分割接触片３６、３６とが、先端側位置で閉じる方向にばね力を付勢して形成する請求項２、３または４、５、６記載のコンタクト２０にある。
【０００８】
請求項８のコネクタ１０、５０、７０は、請求項１から７のコンタクト２０を、絶縁体１２、５２、７２に保持・配列することを特徴とするコネクタ１０、５０、７０にある。
また、請求項９のコネクタ１０は、前記絶縁体１２を略板状とし、前記絶縁体１２から前記コンタクト２０の分割接触片２６及び接触係合手段３０を突出させることを特徴とする請求項８記載のコネクタ１０にある。
【０００９】
請求項１０のコネクタ５０は、芯数が偶数の場合、前記絶縁体５２の形状を長手ピッチ方向の中心線に対して、一方側を雄型形状とし、他方側を雌型形状とすることを特徴とする請求項８記載のコネクタ５０にある。
また、請求項１１のコネクタ７０は、芯数が奇数の場合、長手ピッチ方向の中心の前記コンタクト２０のみを前記絶縁体７２から前記コンタクト２０の分割接触片２６及び接触係合手段３０を突出させ、中心以外の前記絶縁体７２の形状を長手ピッチ方向の中心線に対して、一方側を雄型形状とし、他方側を雌型形状とすることを特徴とする請求項８記載のコネクタ７０にある。
【発明の効果】
【００１０】
以上の説明から明らかなように、本発明のコンタクト２０及び該コンタクトを用いたコネクタ１０によると、次のような優れた効果が得られる。
（１）請求項１記載のように、導電性材料からなる少なくとも１個の板状のコンタクト２０であって、コンタクト２０の先端部の少なくとも一方に、第１接続対象物と接触する接触部２４を含む千鳥状に分岐させた少なくとも２個の分割接触片２６と、第２接続対象物に接続する接続部２８を有するコンタクト２０において、前記分割接触片２６と前記接続部２８との間を延設するとともに該延設部分３２に前記分割接触片２６と接触・係合する接触係合手段３０を設け、同一の前記コンタクト２０を接触・係合させることで、２つの前記第２接続対象物間を導通させることを特徴とするコンタクト２０にしているので、雌雄のコネクタでコンタクト２０の共有化ができ、狭ピッチ化にも対応でき、確実に雌雄コネクタのロックができ、嵌合時のクリック感を有することで確実に嵌合したことを確認できる。
（２）請求項２のコンタクト２０は、前記分割接触片２６は、先端部に３個設けられ、中央に位置する主分割接触片３４の幅が広く、両側に位置する副分割接触片３６の幅が狭く、２つの同一コンタクト２０、２０のうち一方のコンタクト２０の分割接触片２６（主分割接触片３４・副分割接触片３６）と他方のコンタクト２０の接触係合手段３０とが接触係合することを特徴とする請求項１記載のコンタクト２０にしているので、雌雄のコネクタでコンタクト２０の共有化ができ、狭ピッチ化にも対応でき、確実に雌雄コネクタのロックができ、嵌合時のクリック感を有することで確実に嵌合したことを確認できる。
（３）請求項３のコンタクト２０は、前記接触係合手段３０として、前記延設部分３２を湾曲させ、前記分割接触片２６の接触部２４を接触係合させることを特徴とする請求項１または２記載のコンタクト２０にしているので、雌雄のコネクタでコンタクト２０の共有化ができ、狭ピッチ化にも対応でき、確実に雌雄コネクタのロックができ、嵌合時のクリック感を有することで確実に嵌合したことを確認できる。
（４）請求項４のコンタクト２０は、前記接触係合手段３０として、前記延設部分３２の表裏両面に凹部４０を設け、前記分割接触片２６の接触部２４を接触係合させることを特徴とする請求項１または２記載のコンタクト２０にしているので、雌雄のコネクタでコンタクト２０の共有化ができ、狭ピッチ化にも対応でき、確実に雌雄コネクタのロックができ、嵌合時のクリック感を有することで確実に嵌合したことを確認できる。
（５）請求項５のコンタクト２０は、前記延設部分３２の湾曲を、それぞれの前記分割接触片２６の形状に沿うように独立した湾曲部３８することを特徴とする請求項３記載のコンタクト２０にしているので、雌雄のコネクタでコンタクト２０の共有化ができ、狭ピッチ化にも対応でき、確実に雌雄コネクタのロックができ、嵌合時のクリック感を有することで確実に嵌合したことを確認できる。
（６）請求項６のコンタクト２０は、前記延設部分３２の湾曲部３８に、千鳥状に分岐したどちらか一方の前記分割接触片２６の接触部２４に対応する位置に孔４２若しくは溝４４を設けることを特徴とする請求項３記載のコンタクト２０にしているので、雌雄のコネクタでコンタクト２０の共有化ができ、狭ピッチ化にも対応でき、確実に雌雄コネクタのロックができ、嵌合時のクリック感を有することで確実に嵌合したことを確認できる。
（７）請求項７のコンタクト２０は、主分割接触片３４と両副分割接触片３６、３６とが、先端側位置で閉じる方向にばね力を付勢して形成する請求項２、３または４、５、６記載のコンタクト２０にしているので、雌雄のコネクタでコンタクト２０の共有化ができ、狭ピッチ化にも対応でき、確実に雌雄コネクタのロックができ、嵌合時のクリック感を有することで確実に嵌合したことを確認できる。
【００１１】
（８）請求項８のコネクタ１０、５０、７０は、請求項１から７のコンタクト２０を、絶縁体１２、５２、７２に保持・配列することを特徴とするコネクタ１０、５０、７０にしているので、雌雄のコネクタでコンタクト２０と絶縁体１２、５２、７２の共有化ができ、狭ピッチ化にも対応でき、確実に雌雄コネクタのロックができ、嵌合時のクリック感を有することで確実に嵌合したことを確認できる。
（９）請求項９のコネクタ１０は、前記絶縁体１２を略板状とし、前記絶縁体１２から前記コンタクト２０の分割接触片２６及び接触係合手段３０を突出させることを特徴とする請求項８記載のコネクタ１０にしているので、雌雄のコネクタでコンタクト２０と絶縁体１２の共有化ができ、狭ピッチ化にも対応でき、確実に雌雄コネクタのロックができ、嵌合時のクリック感を有することで確実に嵌合したことを確認できる。
（１０）請求項１０のコネクタ５０は、芯数が偶数の場合、前記絶縁体５２の形状を長手ピッチ方向の中心線に対して、一方側を雄型形状とし、他方側を雌型形状とすることを特徴とする請求項８記載のコネクタ５０にしているので、雌雄のコネクタでコンタクト２０と絶縁体５２の共有化ができ、狭ピッチ化にも対応でき、確実に雌雄コネクタのロックができ、嵌合時のクリック感を有することで確実に嵌合したことを確認できる。
（１１）請求項１１のコネクタ７０は、芯数が奇数の場合、長手ピッチ方向の中心の前記コンタクト２０のみを前記絶縁体７２から前記コンタクト２０の分割接触片２６及び接触係合手段３０を突出させ、中心以外の前記絶縁体７２の形状を長手ピッチ方向の中心線に対して、一方側を雄型形状とし、他方側を雌型形状とすることを特徴とする請求項８記載のコネクタ７０にしているので、雌雄のコネクタでコンタクト２０と絶縁体７２の共有化ができ、狭ピッチ化にも対応でき、確実に雌雄コネクタのロックができ、嵌合時のクリック感を有することで確実に嵌合したことを確認できる。
【発明を実施するための最良の形態】
【００１２】
本発明の特徴は、導電性材料からなる少なくとも１個の板状のコンタクト２０であって、コンタクト２０の先端部の少なくとも一方に、第１接続対象物と接触する接触部２４を含む千鳥状に分岐させた少なくとも２個の分割接触片２６と、第２接続対象物に接続する接続部２８を有するコンタクト２０において、前記分割接触片２６と前記接続部２８との間を延設するとともに該延設部分３２に前記分割接触片２６と接触・係合する接触係合手段３０を設け、同一の前記コンタクト２０を接触・係合させることで、２つの前記第２接続対象物間を導通させることを特徴とするコンタクト２０である。
つまり、前記分割接触片２６と前記接続部２８との間を延設し、該延設部分３２に前記分割接触片２６と接触・係合する接触係合手段３０を設け、同一構造の前記コンタクト２０を接触・係合させることで、２つの前記第２接続対象物間を導通させるようにしたものである。
また、本発明は、同一構造のコンタクト２０を使用すると同時に、絶縁体１２、５２、７２も同一構造のものを使用するようにしたことを特徴とするコネクタ１０、５０、７０である。
つまり、前記絶縁体１２を略板状とし、前記絶縁体１２から前記コンタクト２０の分割接触片２６及び接触係合手段３０を突出させるようにしたものや、芯数が偶数の場合、前記絶縁体５２の形状を長手ピッチ方向の中心線に対して、一方側を雄型形状とし、他方側を雌型形状としたものや、芯数が奇数の場合、長手ピッチ方向の中心の前記コンタクト２０のみを前記絶縁体７２から前記コンタクト２０の分割接触片２６及び接触係合手段３０を突出させ、中心以外の前記絶縁体７２の形状を長手ピッチ方向の中心線に対して、一方側を雄型形状とし、他方側を雌型形状としたものである。
【００１３】
最初に、本発明のコンタクト２０について、図１に基づいて説明する。図１（Ａ）は本発明のコンタクトを嵌合方向上方からみた斜視図であり、（Ｂ）は本発明のコンタクトを接続部方向下側からみた斜視図である。コンタクト２０は金属製であり、公知技術のプレス加工によって製作されている。前記コンタクト２０の材質としては、バネ性や導電性などが要求されるので、黄銅やベリリウム銅やリン青銅等を挙げることができる。本実施例におけるコンタクト２０は、図１のように略Ｌ字形状をしている。前記コンタクト２０は、少なくとも、コンタクト２０の先端部の少なくとも一方に、第１接続対象物と接触する接触部２４を含む千鳥状に分岐させた少なくとも２個の分割接触片２６と、他方に、第２接続対象物に接続する接続部２８と、前記分割接触片２６と前記接続部２８との間を延設するとともに該延設部分３２に前記分割接触片２６と接触・係合する接触係合手段３０とを有している。以下で、それぞれの部位について説明する。
【００１４】
まず、分割接触片２６について説明する。前記分割接触片２６の先端には、前記第１接続対象物（同一コンタクト）と接触する接触部２４を有している。図１のように、コンタクト２０の先端部は、接触部２４を有した３個の分割接触片２６によって形成され、３つの前記分割接触片２６は、中央に位置する主分割接触片３４の幅が広く、両側に位置する副分割接触片３６、３６の幅が狭くなっており、具体的には、主分割接触片３４の幅は、副分割接触片３６、３６の幅の１．５〜２．５倍とすることが好ましい。
【００１５】
コンタクト２０は、主分割接触片３４と両副分割接触片３６、３６とが、先端側位置で閉じる方向にばね力を付勢して形成することが好ましく、特に、相手コンタクト２０の接触係合手段３０との安定した電気接点を形成するため、コンタクト２０の先端部は、円弧状等の曲面で形成することがより好適である。
【００１６】
前記接続部２８は、基板に接続される部分であり、他方側付近に設けられ、本実施例では、図１のようにＬ字形状になっており、Ｌ型ディップである。前記接続部２８は基板に接続できればよく、ストレートディップでも、表面実装（ＳＭＴ）タイプやプレスフィットであってもよく、基板の占有面積や高密度実装や耐環境性等を考慮して適宜選択する。
【００１７】
３つの前記分割接触片２６と前記接続部２８は、本体部２２によって連結されている。前記本体部２２（前記分割接触片２６と前記接続部２８との間）を延設し、この延設部分３２に３つの前記分割接触片２６（中央の主分割接触片３４と両端の副分割接触片３６、３６）と接触・係合する接触係合手段３０が設けられている。前記接触係合手段３０は、前記分割接触片２６と接触し、導通を図ると同時に、前記分割接触片２６と係合することでロック機構を有する部分でもある。前記接触係合手段３０としては、２つの役割を果たせば、いかなるものであってもよい。
【００１８】
前記接触係合手段３０としては、前記延設部分３２を湾曲させ、湾曲部３８を設けるもの（図１のように）や前記延設部分３２の表裏両面に凹部４０を設けるもの（図示せず）や前記延設部分３２の湾曲部３８に、千鳥状に分岐したどちらか一方の前記分割接触片２６の接触部２４に対応する位置に孔４２若しくは溝４４を設けるもの（図示せず）などがある。
【００１９】
前記湾曲部３８は、それぞれの前記分割接触片２６の形状に沿うように独立した湾曲部３８することが望ましい。
また、前記湾曲部３８には、千鳥状に分岐したどちらか一方の前記分割接触片２６の接触部２４に対応する位置に孔４２若しくは溝４４を設けることが望ましい。
【００２０】
コネクタの実施の形態としては、３つのタイプがある。１つ目が、前記絶縁体１２を略板状とし、前記絶縁体１２から前記コンタクト２０の分割接触片２６及び接触係合手段３０を突出させるようにしたものである。２つ目が、芯数が偶数の場合、前記絶縁体５２の形状を長手ピッチ方向の中心線に対して、一方側を雄型形状とし、他方側を雌型形状としたものである。３つ目が、芯数が奇数の場合、長手ピッチ方向の中心の前記コンタクト２０のみを前記絶縁体７２から前記コンタクト２０の分割接触片２６及び接触係合手段３０を突出させ、中心以外の前記絶縁体７２の形状を長手ピッチ方向の中心線に対して、一方側を雄型形状とし、他方側を雌型形状としたものである。
【００２１】
３つの上記形態について、図に基づいて説明する。図２（Ａ）は１つ目の形態のコネクタを嵌合方向上方からみた斜視図であり、（Ｂ）は（Ａ）のＳ部部分拡大図である。図３（Ａ）は２つ目の形態のコネクタを嵌合方向上方からみた斜視図であり、（Ｂ）は（Ａ）のＴ部部分拡大図であり、（Ｃ）は（Ａ）のＷ部部分拡大図である。図４（Ａ）は３つ目の形態のコネクタを嵌合方向上方からみた斜視図であり、（Ｂ）は（Ａ）のＸ部部分拡大図であり、（Ｃ）は（Ａ）のＹ部部分拡大図であり、（Ｄ）は（Ａ）のＺ部部分拡大図である。図５（Ａ）はあるコンタクト部分で断面した断面図であり、（Ｂ）は共通のコネクタ同士が嵌合した状態のあるコンタクトの挿入孔部分で断面した断面図である。図６（Ａ）は雌型部分のあるコンタクト部分で断面した断面図であり、（Ｂ）は雄型部分のあるコンタクト部分で断面した断面図であり、（Ｃ）は共通のコネクタ同士が嵌合した状態のあるコンタクトの挿入孔部分で断面した断面図である。図７（Ａ）は雌型部分のあるコンタクト部分で断面した断面図であり、（Ｂ）は中央部のコンタクト部分で断面した断面図であり、（Ｃ）は雄型部分のあるコンタクト部分で断面した断面図である。図８（Ａ）は共通のコネクタ同士が嵌合した状態の中央のコンタクトの挿入孔部分で断面した断面図であり、（Ｂ）は共通のコネクタ同士が嵌合した状態のあるコンタクトの挿入孔部分で断面した断面図である。
【００２２】
３つの形態の前記コネクタに、使用されるコンタクト２０は上述の通りであり、説明を省略する。それぞれの絶縁体１２、５２、７２について説明する。
【００２３】
まず、１つ目のコネクタ１０に使用する絶縁体１２について説明する。この絶縁体１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ、ＰＡ９Ｔ）や液晶ポリマー（ＬＣＰ）やポリカーボネート（ＰＣ）やポニフェニレンサルファイド（ＰＰＳ）やこれらの合成材料を挙げることができる。
前記絶縁体１２には、所要数のコンタクト２０が装着される挿入孔１５が設けられており、圧入や引っ掛け（ランス）や溶着等によって固定されている。前記挿入孔１５は前記コンタクト２０が挿入できればよく、保持力や強度や加工性等を考慮して適宜設計する。
前記絶縁体１２は、図２のように、略板状をしており、前記絶縁体１２から前記コンタクト２０の分割接触片２６及び接触係合手段３０が突出している。
【００２４】
次に、２つ目のコネクタ５０に使用する絶縁体５２について説明する。この絶縁体５２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ、ＰＡ９Ｔ）や液晶ポリマー（ＬＣＰ）やポリカーボネート（ＰＣ）やポニフェニレンサルファイド（ＰＰＳ）やこれらの合成材料を挙げることができる。
前記絶縁体５２には、所要数のコンタクト２０が装着される挿入孔５５が設けられており、圧入や引っ掛け（ランス）や溶着等によって固定されている。前記挿入孔５５は前記コンタクト２０が挿入できればよく、保持力や強度や加工性等を考慮して適宜設計する。
前記絶縁体１２は、図３のように、略逆Ｔ字形状をしており、長手ピッチ方向の中心線に対して、一方側を雄型形状とし、他方側を雌型形状とする。
【００２５】
最後に、３つ目のコネクタ７０に使用する絶縁体１２について説明する。この絶縁体７２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ、ＰＡ９Ｔ）や液晶ポリマー（ＬＣＰ）やポリカーボネート（ＰＣ）やポニフェニレンサルファイド（ＰＰＳ）やこれらの合成材料を挙げることができる。
前記絶縁体７２には、所要数のコンタクト２０が装着される挿入孔７５が設けられており、圧入や引っ掛け（ランス）や溶着等によって固定されている。前記挿入孔７５は前記コンタクト２０が挿入できればよく、保持力や強度や加工性等を考慮して適宜設計する。
前記絶縁体７２は、図４のように、略逆Ｔ字形状をしており、長手ピッチ方向の中央部の１芯だけを、前記絶縁体７２から前記コンタクト２０の分割接触片２６及び接触係合手段３０が突出させ、かつ、中心以外の形状を長手ピッチ方向の中心線に対して、一方側を雄型形状とし、他方側を雌型形状とする。
【００２６】
上述した図３及び図４タイプのコネクタ５０、７０は、本体５４、７４とその上に雄型形状として雄型突出部５６、７６と雌型形状として雌型突出部５８、７８を形成したものである。雌型突出部５８、７８は、一体の突出部分であり、突出部分の中に、別個独立した雌型受入溝５９、７９が設けられている。雄型突出部５６、７６は、別個独立の突出部分であり、突出部分の中に、雄型受入溝５７、７７が設けられている。つまり、前記雄型突出部５６、７６が前記雌型受入溝５９、７９に入り、同一のコンタクト２０同士が接触・係合することになる。
【００２７】
前記雄型受入溝５７、７７及び前記雌型受入溝５９、７９は、前記コンタクト２０の分割接触片２６（千鳥に配置された主分割接触片３４と２つの副分割接触片３６）が配置されると同時に、変位する部分である。そのため、前記雄型受入溝５７、７７及び前記雌型受入溝５９、７９の大きさは、変位ができ、かつ、前記コンタクト２０同士が接触・係合できるように適宜設計する。
【００２８】
図３及び図４タイプの場合、誤嵌合を防止するために、ピッチ長手方向の両端の一方に、係合突出部６０、８０を設け、もう一方端に係止部６２、８２を設けることが望ましい。本実施例では前記係止部６２、８２は係止溝にしている。
【００２９】
尚、上述したところは、この発明の実施形態の一例を示したにすぎず、請求の範囲において種々の変更を加えることができる。
【産業上の利用可能性】
【００３０】
本発明の活用例としては、ＦＡ機器やＯＡ機器やサーバや大型コンピュータ等の電気機器や電子機器の基板間接続に使用されるコネクタ１０、５０、７０に活用され、特に、同一のコンタクト２０を用いたコネクタ１０（即ち、共通の１つのコンタクト２０を含んだコネクタ１０で基板間を接続）や同一のコンタクト２０及び絶縁体５２、７２を用いたコネクタ５０、７０（即ち、共通の１つのコネクタ５０、７０で基板間を接続）構造に関するものである。
【図面の簡単な説明】
【００３１】
【図１】（Ａ）  本発明のコンタクトを嵌合方向上方からみた斜視図である。（Ｂ）  本発明のコンタクトを接続部方向下側からみた斜視図である。
【図２】（Ａ）  １つ目の形態のコネクタを嵌合方向上方からみた斜視図である。（Ｂ）  （Ａ）のＳ部部分拡大図である。
【図３】（Ａ）  ２つ目の形態のコネクタを嵌合方向上方からみた斜視図である。（Ｂ）  （Ａ）のＴ部部分拡大図である。（Ｃ）  （Ａ）のＷ部部分拡大図である。
【図４】（Ａ）  ３つ目の形態のコネクタを嵌合方向上方からみた斜視図である。（Ｂ）  （Ａ）のＸ部部分拡大図である。（Ｃ）  （Ａ）のＹ部部分拡大図である。（Ｄ）  （Ａ）のＺ部部分拡大図である。
【図５】（Ａ）  あるコンタクト部分で断面した断面図である。（Ｂ）  共通のコネクタ同士が嵌合した状態のあるコンタクトの挿入孔部分で断面した断面図である。
【図６】（Ａ）  雌型部分のあるコンタクト部分で断面した断面図である。（Ｂ）  雄型部分のあるコンタクト部分で断面した断面図である。（Ｃ）  共通のコネクタ同士が嵌合した状態のあるコンタクトの挿入孔部分で断面した断面図である。
【図７】（Ａ）  雌型部分のあるコンタクト部分で断面した断面図である。（Ｂ）  中央部のコンタクト部分で断面した断面図である。（Ｃ）  雄型部分のあるコンタクト部分で断面した断面図である。
【図８】（Ａ）  共通のコネクタ同士が嵌合した状態の中央のコンタクトの挿入孔部分で断面した断面図である。（Ｂ）  共通のコネクタ同士が嵌合した状態のあるコンタクトの挿入孔部分で断面した断面図である。
【符号の説明】
【００３２】
１０、５０、７０    コネクタ
１２、５２、７２    絶縁体
１４、５４、７４    本体
１５、５５、７５    挿入孔
５６、７６          雄型突出部
５７、７７          雄型受入溝
５８、７８          雌型突出部
５９、７９          雌型受入溝
６０、８０          係合突出部
６２、８２          係止部
２０                コンタクト
２２                本体部
２４                接触部
２６                分割接触片
２８                接続部
３０                接触係合手段
３２                延設部分
３４                主分割接触片
３６                副分割接触片
３８                湾曲部
４０                凹部
４２                孔
４４                溝
【図１】
2010010031.tif 000003
【図２】
2010010031.tif 000004
【図３】
2010010031.tif 000005
【図４】
2010010031.tif 000006
【図５】
2010010031.tif 000007
【図６】
2010010031.tif 000008
【図７】
2010010031.tif 000009
【図８】
2010010031.tif 000010